(57)【要約】【課題】　構造が簡単であって長さ調整時のクリック感を確実に付与することができ、薄形化・軽量化を実現することができるヘッドホンを提供する。【解決手段】　ハンガー３２は合成樹脂により断面凹状に成形し、この凹状内にスライド方向に沿って複数の凹凸部４０を連続して設け、ハンガーの一端部には電気音響変換部の取付部を設けると共に他端部にはヘッドバンドのアーム部５１が挿入される挿入部３５を形成し、挿入部３５には、凹状の両側壁部を架橋する主爪受部３８を一体に設ける。ヘッドバンドは合成樹脂により成形し、このヘッドバンドのアーム部５１には先端部に凹凸部４０に弾性的に当接する係合凸部５５を設けると共に、この係合凸部の近傍に、立ち上がり係止部５７ａと傾斜部５７ｂとを一体に形成した爪部５７を設け、長さ調整のためスライドさせた際にヘッドバンドからハンガーが脱落することを防止する。【選択図】　図１ 
2004096792.tif 000002
【特許請求の範囲】
【請求項１】
　ヘッドバンドに対して電気音響変換部を設けたハンガーをスライド自在に取り付けて成るヘッドホンにおいて、
　上記ハンガーは合成樹脂により断面凹状に成形し、該凹状内にスライド方向に沿って複数の凹凸部を連続して設け、上記ハンガーの一端部には上記電気音響変換部の取付部を設けると共に該一端部と対応する他端部には上記ヘッドバンドのアーム部が挿入される挿入部を形成し、該挿入部には、上記凹状の上部で該凹状の両側壁部を架橋する主爪受部を一体に設け、
　上記ヘッドバンドは合成樹脂により成形し、該ヘッドバンドの上記アーム部には先端部に上記凹凸部に弾性的に当接する係合凸部を設けると共に、該係合凸部の近傍に、立ち上がり係止部と、該立ち上がり係止部から先端部に行くに従って高さが漸次小さくなる傾斜部とを一体に形成した爪部を設け、該爪部により上記ヘッドバンドのアーム部を上記ハンガーの挿入部に挿入して長さ調整のためスライドさせた際にヘッドバンドからハンガーが脱落することを防止するようにしたことを特徴とするヘッドホン。
【請求項２】
　請求項１記載のヘッドホンにおいて、
　上記挿入部には、上記主爪受部に対向する上記凹状の底部位置に穿設された抜き穴を設けたことを特徴とするヘッドホン。
【請求項３】
　請求項１記載のヘッドホンにおいて、
　上記ハンガーには、上記断面凹状の上部で該凹状の両側壁部の一方の側壁部において他方の側壁部方向に突出するリブを一体に設けたことを特徴とするヘッドホン。
【発明の詳細な説明】
【技術分野】
【０００１】
　本発明は、使用する人の頭の大小に合わせて装着寸法を調整することにより電気音響変換部を耳の穴に容易にセットできるようにしたヘッドホンに関し、特に、簡単な構造でありながら長さ調整時にクリック感を確実に付与することができる薄形化・軽量化されたヘッドホンに関するものである。
【背景技術】
【０００２】
　従来、一般に、この種のヘッドホンとしては、例えば、図１５〜図１８に示すようなものがある。図１５は、バーチカルインザイヤー方式のヘッドホンを示すもので、一対のヘッドホン本体１（一方のヘッドホン本体１のみを示す）と、これらヘッドホン本体１に長さ調整機構及び抜け防止機構を介して連結されたヘッドバンド４とから構成されている。
【０００３】
　ヘッドホン本体１は、電気音響変換部が収容されたハウジング５と、このハウジング５の基部に連続して一体的に設けられたハンガー６とから構成されている。図１６〜図１８に示すように、ハンガー６は筒状をなして上方に延びており、その軸方向穴６ａに連通する長穴７を内側面に設けていると共に、その長穴７の一側にはヘッドバンド４先端の抜けを防止するためにガイド縁６ｂを形成している。また、ハンガー６先端の筒体部６ｃには周囲をコ字状に切欠くことによって弾性片８を設け、この弾性片８の内面先端には係合凸部９を形成している。１０は、金型で形抜きして弾性片８を成形するために設けた抜き穴である。
【０００４】
　また、ヘッドバンド４は、ハンガー６の軸方向穴６ａに挿入されるアーム部１１を両端に有し、各アーム部１１の内面には波目形状の凹凸が軸方向に連続する連続凹凸部１２を設けている。そして、アーム部１１の先端にはＵ字状のストッパ片１３が一体に形成されており、その一方の基部を自由端とすると共に自由端の外面に爪部１４を設け、この爪部１４を筒体部６ｃの長穴７側の縁に当接可能に構成している。
【０００５】
　上記ハンガー６の弾性片８及び係合凸部９とヘッドバンド４のアーム部１１及び連続凹凸部１２とで、クリック感を持たせつつヘッドバンド４の長さを調整するための長さ調整機構を構成している。更に、ハンガー６の筒体部６ｃとアーム部１１のストッパ片１３及び爪部１４とで、ヘッドホン本体１からのヘッドバンド４の抜け出しを防止するための抜け防止機構を構成している。
【０００６】
　図１９は、上述したような構成を有するヘッドホン本体１をプラスチック（例えば、ＡＢＳ樹脂等）で射出成形するための金型の一例を示すものであり、キャビティ側金型１５とコア側金型１６とサイド金型１７とから構成されている。キャビティ側金型１５には、抜き穴１０を形成すると共に弾性片８の内面を形成する突出部１８を設け、この突出部１８には弾性片８の係合凸部９を形成するための凹部１９を設けており、矢印で示す上下方向に移動可能とされている。また、コア側金型１６には、ハンガー６の軸方向穴６ａ及び長穴７を形成する突出部２０と、弾性片８の周囲をコ字状に囲う仕切り部２１とを設けており、同じく矢印で示す上下方向に移動可能とされている。更に、サイド金型１７には、ハンガー６の軸方向穴６ａ先端の開口２２を形成する凸部２３を設けており、矢印で示す左右方向に移動可能とされている。
【０００７】
　しかしながら、上述したような従来のヘッドホンにおいては、長さ調整機構の連続凹凸部１２をアーム部１１に設け、このアーム部１１をハンガー６の軸方向穴６ａに挿入して弾性片８の係合凸部９を連続凹凸部１２に係合する構成となっており、ヘッドホンの着脱時等において曲げモーメントの作用するヘッドバンド４側に連続凹凸部１２が設けられていたため、ヘッドバンド４の強度上必要とされる肉厚を応力集中が生じる凹部の断面積を基準として設定する必要があり、従って、連続凹凸部１２の凸部から凹部を引いた厚みｔ１分だけ肉厚を厚くしておく必要があった。
【０００８】
　また、抜け防止機構においても、アーム部１１のストッパ片１３をＵ字状に形成して自由端に爪部１４を設け、この爪部１４をハンガー６の筒体部６ｃに係合させてヘッドバンド４の抜けを防止する構造となっていたため、アーム部１１の強度上必要な肉厚ｔ２の２倍に加えて、射出成形するための金型の押し切り構造上必要とされる隙間ｔ３を考慮する必要がある。従って、アーム部１１の肉厚を２ｔ２＋ｔ３よりも小さくすることができないという課題があった。
【０００９】
　しかも、ストッパ片１３の折り返し側の自由端に爪部１４が設けられているために、ストッパ片１３の折り返し部分までの折り返し長さｓ１だけアーム部１１の挿入長さｓ２を長く設定する必要がある。そのため、ハンガー６の軸方向穴６ａに挿入されるアーム部１１の有効ストロークＬが折返し長さｓ１だけ短くなり、ヘッドバンド４の有効調整範囲を長く取ることができないという課題もあった。
【００１０】
　更に、一般に、ヘッドホン本体１には商品価値を高める等の理由から印刷塗装を施す必要があり、従来のヘッドホン本体１の材質には下地処理が不要であって廉価に製造できる等の理由からＡＢＳ樹脂が広く使われていたが、撓み変形が繰り返される部材の材質としてのＡＢＳ樹脂は剛性及び耐久性の双方において不向きであった。
【００１１】
　更に又、ハンガー６に弾性片８を設ける構造となっていたため、ヘッドホン本体１をプラスチック等で射出成形するための金型１５，１６，１７が複雑になり、金型コストが高くなるという課題もあった。
【００１２】
　また、従来のヘッドホンとしては、例えば、特許文献１に記載されているようなものがある。この特許文献１には、ヘッドフォンのためのヘッドバンドに関するものが記載されている。
　更に、従来のヘッドホンの他の例としては、例えば、特許文献２や特許文献３に記載されているようなものもある。
【特許文献１】特開平６−３８２８６号公報
【特許文献２】特開昭６２−１５０９９４号公報
【特許文献３】実開平７−４２２９６号公報
【発明の開示】
【発明が解決しようとする課題】
【００１３】
　解決しようとする問題点は、構造が比較的複雑であって長さ調整時のクリック感を確実に付与することができず、薄形化・軽量化を実現することができない点である。
【課題を解決するための手段】
【００１４】
　本発明は、上述したような課題等を解決し、上記目的を達成するために、例えば、図１〜図１４に示すように、ヘッドバンドに対して電気音響変換部を設けたハンガーをスライド自在に取り付けて成るヘッドホンにおいて、ハンガーは合成樹脂により断面凹状に成形し、この凹状内にスライド方向に沿って複数の凹凸部を連続して設け、ハンガーの一端部には電気音響変換部の取付部を設けると共にこの一端部と対応する他端部にはヘッドバンドのアーム部が挿入される挿入部を形成し、この挿入部には、凹状の上部でこの凹状の両側壁部を架橋する主爪受部を一体に設け、ヘッドバンドは合成樹脂により成形し、このヘッドバンドのアーム部には先端部に凹凸部に弾性的に当接する係合凸部を設けると共に、この係合凸部の近傍に、立ち上がり係止部と、この立ち上がり係止部から先端部に行くに従って高さが漸次小さくなる傾斜部とを一体に形成した爪部を設け、この爪部によりヘッドバンドのアーム部をハンガーの挿入部に挿入して長さ調整のためスライドさせた際にヘッドバンドからハンガーが脱落することを防止するようにしたことを特徴としている。
【００１５】
　本発明のヘッドホンは、例えば、図１〜図９に示すように、請求項１記載のヘッドホンにおいて、挿入部には、主爪受部に対向する凹状の底部位置に穿設された抜き穴を設けたことを特徴としている。
【００１６】
　また、本発明のヘッドホンは、例えば、図１〜図９に示すように、請求項１記載のヘッドホンにおいて、ハンガーには、断面凹状の上部でこの凹状の両側壁部の一方の側壁部において他方の側壁部方向に突出するリブを一体に設けたことを特徴としている。
【発明の効果】
【００１７】
　本発明は、上述のように構成したことにより、ヘッドバンドのアーム部をヘッドホン本体のハンガーの挿入部に挿入し、長さ調整のために軸方向穴が延びる方向にアーム部をスライドさせると、アーム部先端の係合凸部がハンガーの連続した凹凸部の凹凸を乗り越えながら移動する。これにより、構造が簡単であって薄形・軽量でありながら装着寸法を多段階に簡単に調整できると共に、係合凸部が凹凸部の凹凸を乗り越える時に、いわゆるクリック感が生じて長さ調整感覚を明確に実感することができる。更に、係合凸部の近傍に設けた爪部により、ヘッドバンドがハンガーから抜け出す直前に、爪部に設けた立ち上がり係止部が主爪受部に係合されるため、ヘッドバンドからハンガーが脱落することを確実に防止することができる。
【００１８】
　挿入部の主爪受部に対向する凹状の底部位置に抜き穴を設ける構成としたことにより、ハンガーを成形するための金型をキャビティ側金型とコア側金型とで構成することができ、金型構造を簡略化して廉価な金型を用いることができる。
【００１９】
　また、ハンガーの断面凹状の両側壁部の一方の側壁部にリブを設ける構成としたことにより、ヘッドバンドのアーム部の先端部がハンガーの断面凹状の長穴からスライド方向と交差する方向に突き出て抜け出すのを防止することができる。
【発明を実施するための最良の形態】
【００２０】
　ヘッドホンの構造を簡単にして、長さ調整時のクリック感を確実に付与することができ、薄形化・軽量化を実現することができた。
【実施例１】
【００２１】
　以下、本発明の実施例を図面に基づいて説明する。図１〜図９は本発明の第１実施例を示すもので、図１は全体構成を示す斜視図、図２は使用状態を示す一部を断面した正面図、図３はヘッドホン本体のハンガーを断面して示す正面図、図４はヘッドホン本体の右側面図、図５はヘッドホン本体の左側面図、図６はヘッドバンドのアーム部を示す正面図、図７Ａ，Ｂはアーム部及びハンガーの要部を示す斜視図、図８はアーム部とハンガーとの係合状態を示す断面図、図９はヘッドホン本体を製造するための金型の一実施例を示す説明図である。
【００２２】
　また、図１０〜図１４は本発明の第２実施例を示すもので、図１０は全体構成を示す斜視図、図１１はヘッドホン本体のハンガーを断面して示す正面図、図１２はヘッドホン本体の右側面図、図１３はヘッドホン本体の左側面図、図１４はヘッドホン本体を製造するための金型を示す説明図である。
【００２３】
　第１実施例の全体構成を示す図１は、オーバヘッドバンドタイプによるバーチカルインザイヤー方式のヘッドホンの斜視図であり、符号３０は、耳に装着されて保持されるヘッドホン本体、５０は、一対のヘッドホン本体３０，３０を長さ調整可能に連結するヘッドバンドである。
【００２４】
　ヘッドホン本体３０は、図１〜図５に示すように、背面側に放音穴が開口したハウジング３１と、このハウジング３１の基部に連続して一体に形成されたハンガー３２とから成り、ハウジング３１の放音穴内には電気音響変換素子や振動板等を有する電気音響変換部が収容されており、その前面に多数の微細な小孔を開口したプロテクタ３３が取付けられている。３４は、電気音響変換部に接続されたリード線であり、各ハウジング３１，３１の側面を貫通して外部に導出された一対のリード線３４，３４の端末がプラグ（図示せず）に接続されている。
【００２５】
　ヘッドホン本体３０のハンガー３２は、ハウジング３１の側面に連続して上方へ立ち上がるように形成されており、その一端部にハウジング３１の基部が取付けられる取付部が設けられ、その軸心部分にはハウジング３１の近傍から他端部である上端の開口からなる挿入部３５まで連続する軸方向穴３６を設けている。そして、ハンガー３２の内側面には、軸方向に延びて軸方向穴３６と連通する長穴３７を設け、この長穴３７と挿入部３５との間を架橋するように幅方向（軸方向と交差する方向）に延びる主爪受部３８を形成している。
【００２６】
　更に、長穴３７の幅方向の一辺にはヘッドバンド５０の先端の抜けを防止するためのリブであるガイド縁３９を設け、また、軸方向穴３６の長穴３７と対向する面には連続凹凸部４０と補助爪受部４１とを設けている。連続凹凸部４０はガイド縁３９の反対側において波形の凹凸を軸方向に多数連続させることによって形成し、また、補助爪受部４１は、図８等に示すように、連続凹凸部４０の挿入部３５側の端部にノコ歯状の凹部を横並びとさせて形成している。更に、図５等に示す４２及び４３は、ヘッドホン本体３０を金型によって射出成形するために設けた抜き穴であり、抜き穴４２は主爪受部３８を形成するためのもので、抜き穴４３はガイド縁３９を形成するためのものである。
【００２７】
　このような構成を有するヘッドホン本体３０は、例えば、図９に示すような構造の金型を用いることにより、簡単に射出成形することができる。図９において、４５はキャビティ側金型、４６はコア側金型である。キャビティ側金型４５には、抜き穴４２を形成すると共に主爪受部３８の内面を形成する突出部４５ａと、ハンガー３２の先端を仕切る突出部４５ｂとを設けている。そして、コア側金型４６には、ハンガー３２の軸方向穴３６及び長穴３７を形成する突出部４６ａ及び４６ｂと、主爪受部３８の外面を形成する凹部４６ｃとを設け、一方の突出部４６ａの表面には連続凹凸部４０を形成するための波形凹凸部４７ａと、補助爪受部４１を形成するためのノコ歯状凸部４７ｂとを形成している。
【００２８】
　キャビティ側金型４５及びコア側金型４６は、矢印で示すように共に上下方向にのみ移動可能であり、かかる構造を有する２個の金型４５，４６を用いることにより、本実施例に係るヘッドホン本体３０は容易に製造することができる。従って、本実施例によれば、図１９で示した従来の金型のうち、サイド金型を不要とすることができ、金型構造を簡略化して廉価な金型を用いることができる。
【００２９】
　尚、上記金型４５，４６において、ガイド縁３９を形成するためにキャビティ側金型４５に設けられる突出部及びこれと位置合わせされるコア側金型４６の受部との説明は省略する。
【００３０】
　また、図１，図２及び図６に示すように、ヘッドバンド５０はアーチ形をなしており、内外方向に弾性変形可能に構成している。このヘッドバンド５０の長手方向両端には、ヘッドホン本体３０の軸方向穴３６に挿入されるアーム部５１，５１を設けている。そして、アーム部５１の基端には段部５２を設けており、この段部５２によりハンガー３２の軸方向穴３６に対するアーム部５１の挿入深さを規制している。
【００３１】
　各アーム部５１の両端は二股に分けられており、これにより、長手方向に延びる腕の長い弾性片５３と、同じく腕の短いストッパ片５４とを横並びに形成している。この弾性片５３の先端の外面には円弧状に突出する係合凸部５５を設けると共に、その基端の内面には係合凸部５５と反対側に突出する主爪部５６を設けている。また、ストッパ片５４の先端の外面には、係合凸部５５と同方向に突出する補助爪部５７を設けている。補助爪部５７には、アーム部５１が延びる方向と略直交する方向に展開された面を有する立ち上がり係止部５７ａと、この立ち上がり係止部５７ａからアーム部５１の先端部に行くに従って高さが漸次小さくなる傾斜面を有する傾斜部５７ｂとが一体に形成されている。
【００３２】
　かくして、図７及び図８に示すように、ハンガー３２の軸方向穴３６にヘッドバンド５０のアーム部５１を挿入すると、弾性片５３のばね力によって係合凸部５５がハンガー３２の連続凹凸部４０に軽く圧接する。そして、アーム部５１を長手方向へ移動すると、係合凸部５５が凹凸を乗り越えて連続凹凸部４０の連続方向に摺動し、挿入部３５の近傍に達すると、弾性片５３の主爪部５６が主爪受部３８の内縁に当接し、これにより、ハンガー３２からのアーム部５１の抜けが防止される。このとき、ストッパ片５４の補助爪部５７はハンガー３２の補助爪受部４１の前面に位置しており、アーム部５１に曲げ力を加えることにより、補助爪部５７が補助爪受部４１に係合可能な状態となっている。
【００３３】
　上記連続凹凸部４０と弾性片５３及び係合凸部５５とで、ヘッドバンド５０の長さを調整するための長さ調整機構を構成している。また、上記主爪部５６と主爪受部３８とでアーム部５１の抜けを防止するための主たる抜け防止機構を構成し、上記補助爪部５７と補助爪受部４１とでアーム部５１の抜けを防止するための補助たる抜け防止機構を構成している。
【００３４】
　このような構成を有するヘッドバンド５０とヘッドホン本体３０との組立は、例えば、次のようにして簡単に行うことができる。まず、ヘッドホン本体３０のハンガー３２の挿入部３５にヘッドバンド５０のアーム部５１の先端を臨ませ、弾性片５３の先端からアーム部５１を軸方向穴３６内に挿入する。そして、アーム部５１の先端部分を弾性変形させ、主爪部５６を主爪受部３８の内側に通過させることにより、図１等に示す状態となって、組立が完了する。
【００３５】
　この状態から、使用する人の頭の大小に合わせて装着寸法を調整する場合は、例えば、次のようにして簡単に行うことができる。即ち、一方の手でヘッドホン本体３０を掴み、他方の手でヘッドバンド５０を掴んで相対的にスライドさせ、装着寸法を大きくする場合はハンガー３２からアーム部５１を引き出し、反対に装着寸法を小さくする場合はハンガー３２内にアーム部５１を差し込む。そして、任意の位置でスライド動作を停止することにより、その停止位置において係合凸部５５が弾性片５３の付勢力により連続凹凸部４０の凹部に係合して固定され、このようにして、装着寸法を多段階に調整することができる。しかも、連続凹凸部４０と係合凸部５５との組み合わせにより、調整時において、いわゆるクリック感を明確に感知することができる。
【００３６】
　この場合、ヘッドホン本体３０のハンガー３２の内面に波目状の凹凸部を設けてあり、ヘッドバンド５０のアーム部５１に棒状の弾性片５３を設けて、その先端に凸部を形成するようにしたため、先端部を除いてヘッドバンド５０全体の肉厚を均一に設定することができる。従って、図１５等に示した従来例のように、ヘッドバンド４の肉厚を必要とされる強度を確保するために部分毎に変える必要がなく、強度として必要とされるだけの肉厚で全体を形成することができる。しかも、抜け止めのための主爪部５６も弾性片５３の基端に若干突出しているだけであって、従来のように半円を描くように形成されていないため、肉厚が必要以上に厚くなることがなく、ヘッドバンド５０の肉厚を可及的に薄く設定することができる。
【００３７】
　また、ヘッドバンド５０をスライドしてハンガー３２から最大限に引き出した場合にも、主爪部５６が係合凸部５５の内側に形成されているため、抜け止めに必要とされる最小長さを、従来のものより短くすることができる。従って、ハンガーの長さが等しいものであるとすると、ヘッドバンド５０をスライドできる有効ストロークを、従来のものに比べて長く設定することができる。
【００３８】
　更に、撓み変形をヘッドバンド５０のみに負担させることができるため、ヘッドバンド５０の材質としてより高い剛性・耐久性を有する材料（例えば、ＰＢＴＰ＝ポリブチレンテレフタレート、ＳＵＳ＝ステンレス鋼等）を使用することができる。このことは逆に、ヘッドホン本体３０の材質としては、剛性・耐久性の高くないものでも使用することができることを意味し、従って、従来と同様にＡＢＳ樹脂を用いることができることは勿論のこと、これよりも剛性・耐久性は低いが印刷・塗装処理のより容易な材質を使用することができる。
【００３９】
　更に又、ヘッドホン本体３０を製造するための上述したような金型４５，４６や、ヘッドバンド５０を製造するための金型（図示せず）の構造を簡単化させることができ、この種のヘッドホンの生産性を高めて廉価に製造することができる。
【００４０】
　次に、図８に示すように、ヘッドバンド５０を最も長くして主爪部５６が主爪受部３８の縁に当接した抜け防止状態において、アーム部５１に時計方向に向かうモーメントが作用するものとすると、弾性片５３にばね力を付与するために係合凸部５５側に設けた隙間によって弾性片５３の基部が大きく下方へ撓み、主爪部５６が主爪受部３８から外れることになる。しかしながら、この場合には、アーム部５１の主爪部５６の反対側に補助爪部５７を設けており、この補助爪部５７が同様に下方へ撓み変形して補助爪受部４１に係合することになる。すなわち、補助爪部５７の立ち上がり係止部５７ａと傾斜面５７ｂとで形成されるくさび状部分が補助爪受部４１に係合されるため、ヘッドバンド５０からハンガー３２が脱落することが防止される。
【００４１】
　従って、この実施例によれば、ヘッドバンド５０がヘッドホン本体３０から最大に引き出された場合には、主爪部５６と主爪受部３８との係合か、又は補助爪部５７と補助爪受部４１との係合の、少なくとも一方の係合が常に確保されるため、ヘッドホン本体３０からのヘッドバンド５０の抜け出しを確実に防止することができる。
【実施例２】
【００４２】
　また、図１０〜図１３に示す本発明の第２実施例は、上記第１実施例で示したヘッドホン本体３０の抜き穴４２，４３を廃止し、表面の凹凸を少なくして外観形状をスッキリさせ、ヘッドホン本体６０の意匠的価値を高めるようにしたものである。このヘッドホン本体６０の構成は、抜き穴４２，４３及び補助爪受部４１を廃止した点以外は上記実施例と同様である。
【００４３】
　尚、抜き穴４２，４３と一連に補助爪受部４１を廃止しているが、これは金型の構造上、廃止せざるを得なくなったものである。従って、この第２実施例では、補助爪受部４１と組をなすヘッドバンド５０の補助爪部５７も不要となり、抜け防止機構は主爪部５６と主爪受部３８との１組のみとなる。
【００４４】
　このような構成のヘッドホン本体６０は、例えば、図１４に示すような構成の金型を用いて製造することができる。この金型は、キャビティ側金型６５とコア側金型６６とサイド金型６７とから構成されている。
【００４５】
　キャビティ側金型６５には、ヘッドホン本体６０の上面を形成する面のみを設け、抜き穴４２等を形成する突出部４５ａと、ハンガー３２の先端を仕切る突出部４５ｂとを廃止している。また、コア側金型６６には、ハンガー３２の軸方向穴３６及び長穴３７を形成する突出部６６ａのみを設け、挿入部３５を形成する突出部４６ｂを廃止している。そして、挿入部３５等を形成するための凸部６８をサイド金型６７に設けている。
【００４６】
　かかるキャビティ側金型６５及びコア側金型６６は、矢印で示すように共に上下方向にのみ移動可能であり、また、サイド金型６７は左右方向に移動可能である。このような構造を有する３個の金型６５，６６，６７を用いることにより、本実施例に係るヘッドホン本体６０を容易に製造することができる。従って、本実施例によれば、キャビティ側金型６５及びコア側金型６６については、図９で示した第１実施例のものよりも形状を簡単にできるが、サイド金型が必要とされるため、第１実施例のものよりも金型構造が若干複雑になる。
【００４７】
　かくして、この第２実施例によれば、図１３に示すように、ハンガー３２の外面には抜き穴４２等の穴がなく、外観形状のスッキリしたヘッドホン本体６０を得ることができる。
【産業上の利用可能性】
【００４８】
　以上説明したが、本発明は上記実施例に限定されるものではなく、例えば、上記実施例では、バーチカルインザイヤー方式のヘッドホンに適用した例について説明したが、ヘッドホン本体とヘッドバンドとを備えているヘッドホンであれば、他の形式のヘッドホンに適用できることは勿論である。更に、ヘッドバンド５０の両側にヘッドホン本体３０，３０（又は６０，６０）を設けたステレオタイプのヘッドホンについて説明したが、例えば、一方のヘッドホン本体３０（又は６０）をダミーとするか、或いは一方のヘッドホン本体を廃止してシングルタイプのヘッドホンとすることもできる。
【００４９】
　また、上記実施例においては、軸方向穴３６の長穴３７と対向する面に連続凹凸部４０を設けた例について説明したが、上記面及び長穴３７の双方と隣合う側面に連続凹凸部４０を設ける構成とすることもできる。このように、本発明は、その趣旨を逸脱しない範囲で種々変更できるものである。
【図面の簡単な説明】
【００５０】
【図１】本発明の第１実施例を示すもので、全体構成を示す斜視図である。
【図２】図１の使用状態を示す一部を断面した正面図である。
【図３】本発明の第１実施例のヘッドホン本体のハンガーを断面して示す正面図である。
【図４】図３に示すヘッドホン本体の右側面図である。
【図５】図３に示すヘッドホン本体の左側面図である。
【図６】本発明の第１実施例のヘッドバンドのアーム部を示す正面図である。
【図７】本発明の第１実施例を示すもので、同図Ａはヘッドバンドのアーム部、同図Ｂはハンガーの挿入部を、それぞれ示す斜視図である。
【図８】本発明の第１実施例のアーム部とハンガーとの係合状態を示す断面図である。
【図９】本発明の第１実施例のヘッドホン本体を製造するための金型の実施例を示す説明図である。
【図１０】本発明の第２実施例を示すもので、全体構成を示す斜視図である。
【図１１】本発明の第２実施例のヘッドホン本体のハンガーを断面して示す正面図である。
【図１２】図１１に示すヘッドホン本体の右側面図である。
【図１３】図１１に示すヘッドホン本体の左側面図である。
【図１４】本発明の第２実施例のヘッドホン本体を製造するための金型の実施例を示す説明図である。
【図１５】従来のヘッドホンの使用状態を示す説明図である。
【図１６】従来のヘッドホンのアーム部とハンガーとの結合部分を断面して示す正面図である。
【図１７】図１６の右側面図である。
【図１８】図１６の左側面図である。
【図１９】従来のヘッドホン本体を製造するための金型の例を示す説明図である。
【符号の説明】
【００５１】
　３０，６０　ヘッドホン本体、３１　ハウジング、３２　ハンガー、３５　挿入部（開口）、３６　軸方向穴、３７　長穴、３８　主爪受部、３９　ガイド縁（リブ）、４０　連続凹凸部、　４１　補助爪受部、４２，４３　抜き穴、４５，６５　キャビティ側金型、４６，６６　コア側金型、５０　ヘッドバンド、５１　アーム部、５３　弾性片、５４　ストッパ片、５５　係合凸部、５６　主爪部、５７　補助爪部、５７ａ　立ち上がり係止部、５７ｂ　傾斜部、６７　サイド金型
【図１】
2004096792.tif 000003
【図２】
2004096792.tif 000004
【図３】
2004096792.tif 000005
【図４】
2004096792.tif 000006
【図５】
2004096792.tif 000007
【図６】
2004096792.tif 000008
【図７】
2004096792.tif 000009
【図８】
2004096792.tif 000010
【図９】
2004096792.tif 000011
【図１０】
2004096792.tif 000012
【図１１】
2004096792.tif 000013
【図１２】
2004096792.tif 000014
【図１３】
2004096792.tif 000015
【図１４】
2004096792.tif 000016
【図１５】
2004096792.tif 000017
【図１６】
2004096792.tif 000018
【図１７】
2004096792.tif 000019
【図１８】
2004096792.tif 000020
【図１９】
2004096792.tif 000021